(57)【特許請求の範囲】
【請求項１】
カッター刃が設けられたスライドアームを１回転させて、そのカッター刃でパリソン押出機から押し出されたパリソンを切断する中空成形機におけるパリソンの切断方法であって、
パリソンに対して、スライドアームのスライドブロックに摺動可能に設けてあるカッター刃を、原点位置から原点位置への１回転方向へ移動させるとともに、回転中心側へ引きながら移動させることにより、パリソンに対するカッター刃の切断速度は大きく、切断角度を小さくしてパリソンを切断することを特徴とする中空成形機におけるパリソンの切断方法。
【請求項２】
原点位置から原点位置へ１回転したカッター刃に冷却用流体を噴霧し、その潜熱によりカッター刃を冷却して、パリソンに接触して上昇した刃温を抑止させるとともに、界面活性によりパリソンの切断面の摩擦抵抗を少なくすることを特徴とする請求項１記載の中空成形機におけるパリソンの切断方法。
【請求項３】
カッター刃が設けられたスライドアームを１回転させて、そのカッター刃でパリソン押出機から押し出されたパリソンを切断する中空成形機におけるパリソンの切断装置であって、
パリソン押出機の押出口の近傍に固定してある支持ベースと、
その支持ベースに、長孔とそれに嵌合するボルトにて調節可能に固定された自由端にシャフトが支承された軸受部を固定したベースプレートと、
その軸受部のシャフトに回転自在に軸支されたスライドアームと、
そのスライドアームのスライドブロックに摺動可能に設けてあるカッター刃と、
カッター刃を設けたスライドアームをシャフトを中心に原点位置から原点位置への１回転させる電動機と、
カッター刃をシャフト側へ引きながら移動させるエアシリンダとを備えて、
パリソンに対するカッター刃の切断速度は大きく、切断角度を小さくしてパリソンを切断することを特徴とする中空成形機におけるパリソンの切断装置。
【請求項４】
支持ベースのカッター刃の原点復帰位置においてカッター刃に向けて冷却用流体を噴霧する噴霧器を配設して潜熱により刃温の上昇を抑止するとともに、パリソン切断時の流体による界面活性を良くしてパリソン切断面の摩擦抵抗を少なくすることを特徴とする請求項３記載の中空成形機におけるパリソン切断装置。
【発明の詳細な説明】
【０００１】
【産業上の利用分野】
この発明は、中空成形機におけるパリソンの切断方法及びその装置に関するもので、特に、パリソンを切断する際の切口の安定性を向上させたものである。
【０００２】
【従来の技術】
中空成形機は、パリソンをパリソン押出機から押し出して二つ割りの成形型に収納し、成形型を型締めしてパリソン内に空気を吹き込むことにより、成形型のキャビティ形状に沿った成型品が得られる装置である。
【０００３】
パリソン押出機から押し出されて連続して垂下するパリソンは、成形型内に収納されて型締めされる前に切断される。この場合に、一般的には、熱を加えて切断するホットカッタ方式（特開平５−６９４７４号公報参照）、回転する刃で切断するロータリーカッタ方式（特公平６−５１３４５号公報参照）及び両方向へ回転する刃で切断する往復動作型コールドカッタ方式の三つが知られている。
【０００４】
往復動作型コールドカッタ方式は、略三角形の両刃のブレードをアームの先端部に連結したアームを回転可能に支持ベースに軸支してパリソン押出機の押出口の近傍に固定してなり、パリソンが所定の長さで垂下するとアームが回転してパリソンを刃で押し切るものである。
【０００５】
肉薄のパリソン（概ね１.０ｍｍ以下のもの）や大径のパリソン又はポリプロピレン（ＰＰ）やポリアミド（ＰＡ）等の比較的粘性の低い樹脂等で形成されたパリソンを切断するときは、ホットカッタ方式によらねばならなかった。
【０００６】
【発明が解決しようとする課題】
しかしながら、ホットカッタ方式は火災の危険性が高く、したがって、高価な火災防止対策を必要とするほか、電熱線を用いるからその電熱線に樹脂の焼け焦げ等が付着してパリソンの切口の安定性が低下するため、電熱線の手作業による掃除を度々必要とし、しかもその掃除は温度の高い部位にあるために作業員が火傷を負うことがある等の欠点がある。
【０００７】
また、ロータリーカッタ方式や往復動作型コールドカッタ方式は、粘性の高い樹脂で形成されたパリソンの切断には適しているが、カッター刃が溶融した樹脂と接触するために、刃温が上昇して刃先の鋭利性が損なわれるとともに、パリソンの切断面の摩擦抵抗が多くなるという欠点を有する。
【０００８】
したがって、この発明は、粘性の低い樹脂で形成されたパリソンや肉薄のパリソンを熱源を必要とすることなく切断する、パリソンの切断方法及びその装置を提供する。
【０００９】
【課題を解決するための手段】
この発明にかかる中空成形機におけるパリソンの切断方法は、カッター刃が設けられたスライドアームを１回転させて、そのカッター刃でパリソン押出機から押し出されたパリソンを切断する中空成形機におけるパリソンの切断方法であって、パリソンに対して、スライドアームのスライドブロックに摺動可能に設けてあるカッター刃を、原点位置から原点位置への１回転方向へ移動させるとともに、回転中心側へ引きながら移動させることにより、パリソンに対するカッター刃の切断速度は大きく、切断角度を小さくしてパリソンを切断することを特徴とする。
【００１０】
また、請求項１記載の中空成形機におけるパリソンの切断方法において、原点位置から原点位置へ１回転したカッター刃に冷却用流体を噴霧し、その潜熱によりカッター刃を冷却して、パリソンに接触して上昇した刃温を抑止させるとともに、界面活性によりパリソンの切断面の摩擦抵抗を少なくすることを特徴とする。
【００１１】
さらに、カッター刃が設けられたスライドアームを１回転させて、そのカッター刃でパリソン押出機から押し出されたパリソンを切断する中空成形機におけるパリソンの切断装置であって、パリソン押出機の押出口の近傍に固定してある支持ベースと、その支持ベースに、長孔とそれに嵌合するボルトにて調節可能に固定された自由端にシャフトが支承された軸受部を固定したベースプレートと、その軸受部のシャフトに回転自在に軸支されたスライドアームと、そのスライドアームのスライドブロックに摺動可能に設けてあるカッター刃と、カッター刃を設けたスライドアームをシャフトを中心に原点位置から原点位置への１回転させる電動機と、カッター刃をシャフト側へ引きながら移動させるエアシリンダとを備えて、パリソンに対するカッター刃の切断速度は大きく、切断角度を小さくしてパリソンを切断することを特徴とする。
【００１２】
そして、請求項３記載の中空成形機におけるパリソンの切断装置において、支持ベースのカッター刃の原点復帰位置においてカッター刃に向けて冷却用流体を噴霧する噴霧器を配設して潜熱により刃温の上昇を抑止するとともに、パリソン切断時の流体による界面活性を良くしてパリソン切断面の摩擦抵抗を少なくすることを特徴とする。
【００１３】
削除
【００１４】
【作用】
パリソンを成形型で把持すると同時、又はプリブローでパリソンを膨らませた後、スライドアームが１回転しながら、カッター刃がその回転中心側へ移動することにより、パリソンに対しカッター刃が直交する方向へ移動すると共に、カッター刃が回転に対し直角方向へ引きながらパリソンを切断することにより、換言すると、パリソンを成形型に収納し把持すると同時、又はプリブローでパリソンを膨らませた後、図１、図４に示すように、カッター刃を、パリソンに対して回転中心（シャフト）を軸点として原点位置から原点位置までの１回転方向へ移動させるとともに、パリソンの切断前に回転中心（シャフト）に向かって引きながら移動させて、パリソンを切断することにより、回転方向の速度及び直角方向の速度との合成による切断速度が大きくなるとともに、切断角度が小さくなるから、肉薄のパリソンや大径のパリソン又はポリプロピレンやポリアミド等の比較的粘性の低い樹脂等で形成されたパリソンの切口を高い安定性で切断することができる。
【００１５】
【実施例】
以下、この発明のパリソンの切断装置に係わる実施例を図に基づき説明する。本発明のパリソンの切断装置は、図１，図２に示すように、パリソン押出機の押出口の近傍に固定された支持ベース１と、支持ベース１に長孔３とそれに嵌合するボルト４にて調節可能に固定された自由端にシャフト６が支承された軸受部５を固定したベースプレート２と、軸受部５のシャフト６に回転自在に軸支されたスライドアーム９と、スライドアーム９のスライドブロック１０に摺動可能に設けてあるカッター刃１１と、スライドアーム９をシャフト６を中心に１回転させる電動機１７と、カッター刃１１をシャフト６に向かって移動させるエアシリンダ１３とを備えて構成してある。なお、軸受部５には、シャフト６が貫通して支承され、シャフト６の上端部にはロータリージョイント７とプーリー８が、下端部にはスライドアーム９がそれぞれ固定されている。
【００１６】
スライドアーム９は、エアシリンダ１３を内蔵し、その作動ロッド１２側に連結したスライドブロック１０にカッター刃１１が摺動可能に連結されている。カッター刃１１は、略三角形の両刃１１ａ，１１ａを有してその柄部１１ｂがスライドブロック１０にねじ２８等にスペーサー２９等を介して連結されている。
【００１７】
スライドアーム９は、図３に示すように、断面略Ｃ形材の内部にスライドブロック１０が軸方向へ摺動可能に嵌合され、カッター刃１１が摺動可能に連結されたスライドブロック１０の背面にその作動ロッド１２を連結してエアシリンダ１３が断面略Ｃ形材の内部に固定された態様をしている。このエアシリンダ１３にエアを供給及び排出する配管２６，２７は、図２に示す切換弁１４からロータリージョイント７を介してシャフト６に形成された孔を通って、エアシリンダ１３に接続されている。
【００１８】
また、図１，図２に示すように、ベースプレート２の他方端部に、サーボモーター等の電動モータ１７をモータ支持体１９で支持し、この電動モータ１７の出力軸１８にプーリー１６を軸着する。前記プーリー８と軸着されたプーリー１６に内接するようにタイミングベルト１５がエンドレスに捲回されている。
【００１９】
そして、パリソン押出機の押出口の近傍に、支持ベース１がベースプレート２とその自由端部に固定したスライドアーム９共々、カッター刃１１の位置を調節可能に長孔２０とボルト２１を介して固定してある。さらに、支持ベース１の下部に噴霧器２２を取り付けてある。この噴霧器２２は、ノズルとして噴霧する拡散器２４が連結さている。拡散器２４に配管２３が接続され、配管２３は適宜の冷却用流体を供給する。拡散器２４の下部にはカッター刃１１が原点復帰して位置する。
【００２０】
次に、上記の実施例の作用について説明する。パリソンを成形型に収納して把持すると同時、又はプリブローでパリソンを膨らませた後、電動モータ１７が作動して、カッター刃１１が連結されたスライドブロック１０を備えたスライドアーム９が１回転方向へ移動しながら、パリソンが切断される前に、シリンダ１３が作動してカッター刃１１を連結しているスライドブロック１０がシャフト６側へ移動することにより、カッター刃１１が１回転しながら、シャフト６側へ引かれる。すなわち、図４に示すように、パリソン２５に対しカッター刃１１が直交する方向へ回転方向速度ｓ1で移動すると共に、カッター刃１１の両刃１１ａが回転に対し直角方向へ直角方向速度ｓ2  で引きながらパリソン２５を切断する。換言すると、図１、図４に示すように、カッター刃１１を、パリソン２５に対して回転中心部のシャフト６を軸点として原点位置からパリソンを切断し原点位置に復帰までの１回転方向へ移動させるとともに、パリソン２５の切断前に回転中心部のシャフト６向かって引き移動させて、カッター刃１１を１回転させてパリソン２５を切断することにより、回転方向速度Ｓ１及び直角方向速度Ｓ２との合成による切断速度Ｓが大きくなるとともに、切断角度θが小さくなる。したがって、肉薄のパリソンでも切口が安定する切断を可能にする。
【００２１】
カッター刃１１が１回転して原点位置に復帰すると、その上部には拡散器２４が配置されており、したがって、その拡散器２４から冷却水、又はその他の冷却媒体からなる冷却用流体が噴霧され、潜熱によりカッター刃１１が冷却される。これにより、パリソン２５に接触して上昇した刃温が低下するとともに、次回の切断に際して界面活性によりパリソン２５の切断面の摩擦抵抗を少なくすることができ、パリソン２５の切口の安定性を確保することができる。
【００２２】
かくして、この発明によれば、比較的粘性の低い樹脂で形成されたパリソンを、ホットカッタ方式によらずに、ロータリーカッタ方式で、そのパリソンの切口を高い安定性で切断することができるようになった。
【００２３】
【発明の効果】
以上説明したこの発明によれば、肉薄のパリソンでも安定して切断することができるようになり、口部内径のしわが生じなくなり、口部仕上げが品質高く安定した成形品が得られる。
【００２４】
また、ＰＰやＰＡで押し出されたパリソンも熱源を使用せず切断することができるようになり、火災の危険性が解消された。
【図面の簡単な説明】
【図１】この発明の一実施例を示す平面図
【図２】図１の正面図
【図３】（Ａ）はスライドアームの断面側面図及び（Ｂ）はＹ−Ｙ断面図
【図４】作用説明図
【符号の説明】
１…支持ベース
５…軸受部
６…シャフト
７…ロータリージョイント
９…スライドアーム
１０…スライドブロック
１１…カッター刃
１１ａ…両刃
１２…作動ロッド
１３…シリンダ
１４…切換弁装置
１７…電動モータ
２４…拡散器
２５…パリソン
【図１】
0003618138.tif 000002
【図２】
0003618138.tif 000003
【図３】
0003618138.tif 000004
【図４】
0003618138.tif 000005